【手続補正書】
【提出日】平成22年11月24日(2010.11.24)
【手続補正１】
【補正対象書類名】特許請求の範囲
【補正対象項目名】全文
【補正方法】変更
【補正の内容】
【特許請求の範囲】
【請求項１】
各店舗において店舗会員として会員登録した会員に対して発行された記録媒体から特定され、当該会員を個々に識別可能な会員識別情報に対応付けて、当該記録媒体の所有者のポイントを管理する会員情報管理手段を有するポイント管理装置を備えるポイント管理システムであって、
前記記録媒体には、前記会員識別情報を特定可能な第１会員特定情報が磁気的又は電気的に記録されると共に、前記会員識別情報を特定可能な第２会員特定情報が目視可能に記録され、
各店舗に設置され、前記記録媒体を受け付けて、該受け付けた記録媒体に記録されている前記第１会員特定情報を読み取る記録媒体受付手段と、該記録媒体受付手段により読み取った第１会員特定情報を含む第１登録要求を前記ポイント管理装置に対して送信する第１登録要求送信手段と、を有する店舗端末をさらに備え、
前記ポイント管理装置は、
前記第１登録要求送信手段から第１登録要求を受信したことに基づいて、該受信した第１登録要求に含まれる第１会員特定情報から前記会員識別情報を特定し、該特定した会員識別情報を前記会員情報管理手段に登録すると共に、会員が所持する情報端末において当該会員が前記第２会員特定情報を入力して登録操作を行うことにより該情報端末から送信されてくる、該入力された第２会員特定情報を含む第２登録要求から前記会員識別情報を特定し、該特定した会員識別情報を前記会員情報管理手段に登録する登録手段を有することを特徴とするポイント管理システム。
【請求項２】
請求項１に記載したポイント管理システムであって、
前記店舗端末は、前記会員から前記記録媒体を受け付けて前記記録媒体受付手段により読み取った第１会員特定情報に対応付けて前記会員情報管理手段により管理されているポイントを、当該会員に対して表示するためのポイント表示手段をさらに有することを特徴とするポイント管理システム。
【請求項３】
請求項１又は２に記載したポイント管理システムであって、
前記ポイント管理装置は、
前記第２登録要求に伴って、前記登録操作を行う会員の電子メールアドレスを前記情報端末から取得する電子メールアドレス取得手段を有し、
該電子メールアドレス取得手段により取得した電子メールアドレスを、前記会員識別情報に対応付けて、前記会員情報管理手段により管理し、
前記会員に対して通知する通知内容と、通知対象とする会員の会員識別情報を特定可能な情報とを設定する通知情報設定手段と、
該通知情報設定手段により設定された情報から特定される前記通知対象の会員識別情報に対応付けて前記会員情報管理手段で管理されている電子メールアドレスを抽出する電子メールアドレス抽出手段と、
前記通知情報設定手段により設定された通知内容を提供するための通知情報を含む電子メールを該電子メールアドレス抽出手段により抽出された電子メールアドレス宛に送信する電子メール送信手段と、
前記店舗端末から前記第１会員特定情報を含む確認要求を受信したことに基づいて、該受信した確認要求に含まれる第１会員特定情報から特定される会員識別情報が前記通知情報設定手段により設定された情報から特定される前記通知対象の会員識別情報であるか否かを判定する通知対象判定手段と、
該通知対象判定手段により通知対象の会員識別情報であると判定されたことを条件として、前記通知情報を前記店舗端末に対して返信する通知情報返信手段と、をさらに有することを特徴とするポイント管理システム。
【請求項４】
請求項３に記載したポイント管理システムであって、
前記ポイント管理装置は、前記確認要求に含まれる第１会員特定情報から特定される会員識別情報に対応付けて前記会員情報管理手段で電子メールアドレスを管理しているか否かを判定する電子メールアドレス管理判定手段をさらに有し、
前記通知情報返信手段は、該電子メールアドレス管理判定手段により電子メールアドレスを管理していると判定されたことを条件として、前記通知情報を前記店舗端末に対して返信しないことを特徴とするポイント管理システム。
【請求項５】
請求項１〜４のいずれか１つに記載したポイント管理システムであって、
前記ポイント管理装置は、
前記店舗端末から、当該ポイント管理装置に新たに登録する複数の会員識別情報のそれぞれを特定可能な第１会員特定情報及び／又は第２会員特定情報を複数含む会員統合要求を受信したことに基づいて、当該複数の第１会員特定情報及び／又は第２会員特定情報から特定される各会員識別情報に対応する各店舗を個々に識別可能な店舗識別情報を特定すると共に、前記情報端末から、当該ポイント管理装置に新たに登録する複数の会員識別情報のそれぞれを特定可能な複数の第２会員特定情報を含む会員統合要求を受信したことに基づいて、当該複数の第２会員特定情報から特定される各会員識別情報に対応する各店舗の店舗識別情報を特定する店舗特定手段と、
該店舗特定手段により特定された各店舗識別情報が一致するか否かを判定する店舗一致判定手段と、をさらに有し、
前記登録手段は、該店舗一致判定手段により一致しないと判定されたことを条件として、前記新たに登録する複数の会員識別情報を対応付けて登録する一方、前記店舗一致判定手段により一致すると判定されたことを条件として、前記新たに登録する複数の会員識別情報を登録しないことを特徴とするポイント管理システム。
【請求項６】
請求項１〜４のいずれか１つに記載したポイント管理システムであって、
前記ポイント管理装置は、
前記店舗端末から、当該ポイント管理装置に新たに登録する会員識別情報を特定可能な第１会員特定情報又は第２会員特定情報と当該ポイント管理装置に既に登録されている会員識別情報を特定可能な第１会員特定情報又は第２会員特定情報とを含む会員統合要求を受信したことに基づいて、該受信した会員統合要求に含まれる第１会員特定情報及び／又は第２会員特定情報から特定される各会員識別情報に対応する各店舗を個々に識別可能な店舗識別情報を特定すると共に、前記情報端末から、当該ポイント管理装置に新たに登録する会員識別情報を特定可能な第２会員特定情報と当該ポイント管理装置に既に登録されている会員識別情報を特定可能な第２会員特定情報とを含む会員統合要求を受信したことに基づいて、該受信した会員統合要求に含まれる各第２会員特定情報から特定される各会員識別情報に対応する各店舗を個々に識別可能な店舗識別情報を特定する店舗特定手段と、
該店舗特定手段により特定された、前記新たに登録する会員識別情報に対応する店舗の店舗識別情報と、前記既に登録されている会員識別情報に対応する店舗の店舗識別情報とが一致するか否かを判定する店舗一致判定手段と、をさらに有し、
前記登録手段は、該店舗一致判定手段により一致しないと判定されたことを条件として、前記新たに登録する会員識別情報を前記既に登録されている会員識別情報に対応付けて登録する一方、前記店舗一致判定手段により一致すると判定されたことを条件として、前記新たに登録する会員識別情報を登録しないことを特徴とするポイント管理システム。
【請求項７】
請求項１〜４のいずれか１つに記載したポイント管理システムであって、
前記ポイント管理装置は、
前記店舗端末から、当該ポイント管理装置に既に登録されている複数の会員識別情報のそれぞれを特定可能な第１会員特定情報及び／又は第２会員特定情報を複数含む会員統合要求を受信したことに基づいて、当該複数の第１会員特定情報及び／又は第２会員特定情報から特定される各会員識別情報に対応する各店舗を個々に識別可能な店舗識別情報を特定すると共に、前記情報端末から、当該ポイント管理装置に既に登録されている複数の会員識別情報のそれぞれを特定可能な複数の第２会員特定情報を含む会員統合要求を受信したことに基づいて、当該複数の第２会員特定情報から特定される各会員識別情報に対応する各店舗の店舗識別情報を特定する店舗特定手段と、
該店舗特定手段により特定された各店舗識別情報が一致するか否かを判定する店舗一致判定手段と、をさらに有し、
前記登録手段は、該店舗一致判定手段により一致しないと判定されたことを条件として、前記既に登録されている複数の会員識別情報を対応付けて登録する一方、前記店舗一致判定手段により一致すると判定されたことを条件として、前記既に登録されている複数の会員識別情報を対応付けて登録しないことを特徴とするポイント管理システム。
【請求項８】
請求項１〜７のいずれか１つに記載したポイント管理システムであって、
前記ポイント管理装置は、
複数の店舗をグループ店として設定するグループ設定手段と、
前記店舗端末から、当該ポイント管理装置に新たに登録する複数の会員識別情報のそれぞれを特定可能な第１会員特定情報及び／又は第２会員特定情報を複数含む会員統合要求を受信したことに基づいて、当該複数の第１会員特定情報及び／又は第２会員特定情報から特定される各会員識別情報に対応する各店舗を個々に識別可能な店舗識別情報を特定すると共に、前記情報端末から、当該ポイント管理装置に新たに登録する複数の会員識別情報のそれぞれを特定可能な複数の第２会員特定情報を含む会員統合要求を受信したことに基づいて、当該複数の第２会員特定情報から特定される各会員識別情報に対応する各店舗の店舗識別情報を特定する店舗特定手段と、
該店舗特定手段により特定された各店舗識別情報が前記グループ設定手段により設定されたグループに属する店舗の店舗識別情報であるか否かを判定するグループ判定手段と、をさらに有し、
該グループ判定手段によりグループに属する店舗の店舗識別情報であると判定されたことを条件として、前記複数の会員識別情報を対応付けて前記登録手段により登録し、
該登録手段により対応付けて登録された各会員識別情報に対応するポイントを合算する合算手段と、
該合算手段により合算された合算ポイントを前記会員が所定のサービスを享受するために使用させるための処理を行うポイント使用処理手段と、をさらに有することを特徴とするポイント管理システム。
【請求項９】
請求項１〜７のいずれか１つに記載したポイント管理システムであって、
前記ポイント管理装置は、
複数の店舗をグループ店として設定するグループ設定手段と、
前記店舗端末から、当該ポイント管理装置に新たに登録する会員識別情報を特定可能な第１会員特定情報又は第２会員特定情報と当該ポイント管理装置に既に登録されている会員識別情報を特定可能な第１会員特定情報又は第２会員特定情報とを含む会員統合要求を受信したことに基づいて、該受信した会員統合要求に含まれる第１会員特定情報及び／又は第２会員特定情報から特定される各会員識別情報に対応する各店舗を個々に識別可能な店舗識別情報を特定すると共に、前記情報端末から、当該ポイント管理装置に新たに登録する会員識別情報を特定可能な第２会員特定情報と当該ポイント管理装置に既に登録されている会員識別情報を特定可能な第２会員特定情報とを含む会員統合要求を受信したことに基づいて、該受信した会員統合要求に含まれる各第２会員特定情報から特定される各会員識別情報に対応する各店舗を個々に識別可能な店舗識別情報を特定する店舗特定手段と、
該店舗特定手段により特定された各店舗識別情報が前記グループ設定手段により設定されたグループに属する店舗の店舗識別情報であるか否かを判定するグループ判定手段と、をさらに有し、
該グループ判定手段によりグループに属する店舗の店舗識別情報であると判定されたことを条件として、前記新たに登録する会員識別情報を前記既に登録されている会員識別情報に対応付けて前記登録手段により登録し、
該登録手段により対応付けて登録された各会員識別情報に対応するポイントを合算する合算手段と、
該合算手段により合算された合算ポイントを前記会員が所定のサービスを享受するために使用させるための処理を行うポイント使用処理手段と、をさらに有することを特徴とするポイント管理システム。
【請求項１０】
請求項１〜７のいずれか１つに記載したポイント管理システムであって、
前記ポイント管理装置は、
複数の店舗をグループ店として設定するグループ設定手段と、
前記店舗端末から、当該ポイント管理装置に既に登録されている複数の会員識別情報のそれぞれを特定可能な第１会員特定情報及び／又は第２会員特定情報を複数含む会員統合要求を受信したことに基づいて、当該複数の第１会員特定情報及び／又は第２会員特定情報から特定される各会員識別情報に対応する各店舗を個々に識別可能な店舗識別情報を特定すると共に、前記情報端末から、当該ポイント管理装置に既に登録されている複数の会員識別情報のそれぞれを特定可能な複数の第２会員特定情報を含む会員統合要求を受信したことに基づいて、当該複数の第２会員特定情報から特定される各会員識別情報に対応する各店舗の店舗識別情報を特定する店舗特定手段と、
該店舗特定手段により特定された各店舗識別情報が前記グループ設定手段により設定されたグループに属する店舗の店舗識別情報であるか否かを判定するグループ判定手段と、をさらに有し、
該グループ判定手段によりグループに属する店舗の店舗識別情報であると判定されたことを条件として、前記複数の会員識別情報を対応付けて前記登録手段により登録し、
該登録手段により対応付けて登録された各会員識別情報に対応するポイントを合算する合算手段と、
該合算手段により合算された合算ポイントを前記会員が所定のサービスを享受するために使用させるための処理を行うポイント使用処理手段と、をさらに有することを特徴とするポイント管理システム。
【請求項１１】
請求項５〜１０のいずれか１つに記載したポイント管理システムであって、
前記店舗端末は、
前記記録媒体受付手段により、統合対象とする複数の記録媒体を受け付けて、該受け付けた各記録媒体に記録されている第１会員特定情報を読み取り、
該記録媒体受付手段により読み取った複数の第１会員特定情報を含む前記会員統合要求を前記ポイント管理装置に対して送信することを特徴とするポイント管理システム。
【請求項１２】
各店舗において店舗会員として会員登録した会員に対して発行された記録媒体から特定され、当該会員を個々に識別可能な会員識別情報に対応付けて、当該記録媒体の所有者のポイントを管理する会員情報管理手段を有するポイント管理装置であって、
前記記録媒体には、前記会員識別情報を特定可能な第１会員特定情報が磁気的又は電気的に記録されると共に、前記会員識別情報を特定可能な第２会員特定情報が目視可能に記録され、
各店舗に設置される店舗端末において会員が記録媒体の受付を行うことにより該店舗端末から送信されてくる、該受け付けた記録媒体から読み取った前記第１会員特定情報を含む第１登録要求から前記会員識別情報を特定し、該特定した会員識別情報を前記会員情報管理手段に登録すると共に、会員が所持する情報端末において当該会員が前記第２会員特定情報を入力して登録操作を行うことにより該情報端末から送信されてくる、該入力された第２会員特定情報を含む第２登録要求から前記会員識別情報を特定し、該特定した会員識別情報を前記会員情報管理手段に登録する登録手段を有することを特徴とするポイント管理装置。
【請求項１３】
請求項１２に記載したポイント管理装置であって、
前記第２登録要求に伴って、前記登録操作を行う会員の電子メールアドレスを前記情報端末から取得する電子メールアドレス取得手段を有し、
該電子メールアドレス取得手段により取得した電子メールアドレスを、前記会員識別情報に対応付けて、前記会員情報管理手段により管理し、
前記会員に対して通知する通知内容と、通知対象とする会員の会員識別情報を特定可能な情報とを設定する通知情報設定手段と、
該通知情報設定手段により設定された情報から特定される前記通知対象の会員識別情報に対応付けて前記会員情報管理手段で管理されている電子メールアドレスを抽出する電子メールアドレス抽出手段と、
前記通知情報設定手段により設定された通知内容を提供するための通知情報を含む電子メールを該電子メールアドレス抽出手段により抽出された電子メールアドレス宛に送信する電子メール送信手段と、
前記店舗端末から前記第１会員特定情報を含む確認要求を受信したことに基づいて、該受信した確認要求に含まれる第１会員特定情報から特定される会員識別情報が前記通知情報設定手段により設定された情報から特定される前記通知対象の会員識別情報であるか否かを判定する通知対象判定手段と、
該通知対象判定手段により通知対象の会員識別情報であると判定されたことを条件として、前記通知情報を前記店舗端末に対して返信する通知情報返信手段と、をさらに有することを特徴とするポイント管理装置。
【請求項１４】
請求項１３に記載したポイント管理装置であって、
前記確認要求に含まれる第１会員特定情報から特定される会員識別情報に対応付けて前記会員情報管理手段で電子メールアドレスを管理しているか否かを判定する電子メールアドレス管理判定手段をさらに有し、
前記通知情報返信手段は、該電子メールアドレス管理判定手段により電子メールアドレスを管理していると判定されたことを条件として、前記通知情報を前記店舗端末に対して返信しないことを特徴とするポイント管理装置。
【請求項１５】
請求項１２〜１４のいずれか１つに記載したポイント管理装置であって、
前記店舗端末から、当該ポイント管理装置に新たに登録する複数の会員識別情報のそれぞれを特定可能な第１会員特定情報及び／又は第２会員特定情報を複数含む会員統合要求を受信したことに基づいて、当該複数の第１会員特定情報及び／又は第２会員特定情報から特定される各会員識別情報に対応する各店舗を個々に識別可能な店舗識別情報を特定すると共に、前記情報端末から、当該ポイント管理装置に新たに登録する複数の会員識別情報のそれぞれを特定可能な複数の第２会員特定情報を含む会員統合要求を受信したことに基づいて、当該複数の第２会員特定情報から特定される各会員識別情報に対応する各店舗の店舗識別情報を特定する店舗特定手段と、
該店舗特定手段により特定された各店舗識別情報が一致するか否かを判定する店舗一致判定手段と、をさらに有し、
前記登録手段は、該店舗一致判定手段により一致しないと判定されたことを条件として、前記新たに登録する複数の会員識別情報を対応付けて登録する一方、前記店舗一致判定手段により一致すると判定されたことを条件として、前記新たに登録する複数の会員識別情報を登録しないことを特徴とするポイント管理装置。
【請求項１６】
請求項１２〜１４のいずれか１つに記載したポイント管理装置であって、
前記店舗端末から、当該ポイント管理装置に新たに登録する会員識別情報を特定可能な第１会員特定情報又は第２会員特定情報と当該ポイント管理装置に既に登録されている会員識別情報を特定可能な第１会員特定情報又は第２会員特定情報とを含む会員統合要求を受信したことに基づいて、該受信した会員統合要求に含まれる第１会員特定情報及び／又は第２会員特定情報から特定される各会員識別情報に対応する各店舗を個々に識別可能な店舗識別情報を特定すると共に、前記情報端末から、当該ポイント管理装置に新たに登録する会員識別情報を特定可能な第２会員特定情報と当該ポイント管理装置に既に登録されている会員識別情報を特定可能な第２会員特定情報とを含む会員統合要求を受信したことに基づいて、該受信した会員統合要求に含まれる各第２会員特定情報から特定される各会員識別情報に対応する各店舗を個々に識別可能な店舗識別情報を特定する店舗特定手段と、
該店舗特定手段により特定された、前記新たに登録する会員識別情報に対応する店舗の店舗識別情報と、前記既に登録されている会員識別情報に対応する店舗の店舗識別情報とが一致するか否かを判定する店舗一致判定手段と、をさらに有し、
前記登録手段は、該店舗一致判定手段により一致しないと判定されたことを条件として、前記新たに登録する会員識別情報を前記既に登録されている会員識別情報に対応付けて登録する一方、前記店舗一致判定手段により一致すると判定されたことを条件として、前記新たに登録する会員識別情報を登録しないことを特徴とするポイント管理装置。
【請求項１７】
請求項１２〜１４のいずれか１つに記載したポイント管理装置であって、
前記店舗端末から、当該ポイント管理装置に既に登録されている複数の会員識別情報のそれぞれを特定可能な第１会員特定情報及び／又は第２会員特定情報を複数含む会員統合要求を受信したことに基づいて、当該複数の第１会員特定情報及び／又は第２会員特定情報から特定される各会員識別情報に対応する各店舗を個々に識別可能な店舗識別情報を特定すると共に、前記情報端末から、当該ポイント管理装置に既に登録されている複数の会員識別情報のそれぞれを特定可能な複数の第２会員特定情報を含む会員統合要求を受信したことに基づいて、当該複数の第２会員特定情報から特定される各会員識別情報に対応する各店舗の店舗識別情報を特定する店舗特定手段と、
該店舗特定手段により特定された各店舗識別情報が一致するか否かを判定する店舗一致判定手段と、をさらに有し、
前記登録手段は、該店舗一致判定手段により一致しないと判定されたことを条件として、前記既に登録されている複数の会員識別情報を対応付けて登録する一方、前記店舗一致判定手段により一致すると判定されたことを条件として、前記既に登録されている複数の会員識別情報を対応付けて登録しないことを特徴とするポイント管理装置。
【請求項１８】
請求項１２〜１７のいずれか１つに記載したポイント管理装置であって、
複数の店舗をグループ店として設定するグループ設定手段と、
前記店舗端末から、当該ポイント管理装置に新たに登録する複数の会員識別情報のそれぞれを特定可能な第１会員特定情報及び／又は第２会員特定情報を複数を含む会員統合要求を受信したことに基づいて、当該複数の第１会員特定情報及び／又は第２会員特定情報から特定される各会員識別情報に対応する各店舗を個々に識別可能な店舗識別情報を特定すると共に、前記情報端末から、当該ポイント管理装置に新たに登録する複数の会員識別情報のそれぞれを特定可能な複数の第２会員特定情報を含む会員統合要求を受信したことに基づいて、当該複数の第２会員特定情報から特定される各会員識別情報に対応する各店舗の店舗識別情報を特定する店舗特定手段と、
該店舗特定手段により特定された各店舗識別情報が前記グループ設定手段により設定されたグループに属する店舗の店舗識別情報であるか否かを判定するグループ判定手段と、をさらに有し、
該グループ判定手段によりグループに属する店舗の店舗識別情報であると判定されたことを条件として、前記複数の会員識別情報を対応付けて前記登録手段により登録し、
該登録手段により対応付けて登録された各会員識別情報に対応するポイントを合算する合算手段と、
該合算手段により合算された合算ポイントを前記会員が所定のサービスを享受するために使用させるための処理を行うポイント使用処理手段と、をさらに有することを特徴とするポイント管理装置。
【請求項１９】
請求項１２〜１７のいずれか１つに記載したポイント管理装置であって、
複数の店舗をグループ店として設定するグループ設定手段と、
前記店舗端末から、当該ポイント管理装置に新たに登録する会員識別情報を特定可能な第１会員特定情報又は第２会員特定情報と当該ポイント管理装置に既に登録されている会員識別情報を特定可能な第１会員特定情報又は第２会員特定情報とを含む会員統合要求を受信したことに基づいて、該受信した会員統合要求に含まれる第１会員特定情報及び／又は第２会員特定情報から特定される各会員識別情報に対応する各店舗を個々に識別可能な店舗識別情報を特定すると共に、前記情報端末から、当該ポイント管理装置に新たに登録する会員識別情報を特定可能な第２会員特定情報と当該ポイント管理装置に既に登録されている会員識別情報を特定可能な第２会員特定情報とを含む会員統合要求を受信したことに基づいて、該受信した会員統合要求に含まれる各第２会員特定情報から特定される各会員識別情報に対応する各店舗を個々に識別可能な店舗識別情報を特定する店舗特定手段と、
該店舗特定手段により特定された各店舗識別情報が前記グループ設定手段により設定されたグループに属する店舗の店舗識別情報であるか否かを判定するグループ判定手段と、をさらに有し、
該グループ判定手段によりグループに属する店舗の店舗識別情報であると判定されたことを条件として、前記新たに登録する会員識別情報を前記既に登録されている会員識別情報に対応付けて前記登録手段により登録し、
該登録手段により対応付けて登録された各会員識別情報に対応するポイントを合算する合算手段と、
該合算手段により合算された合算ポイントを前記会員が所定のサービスを享受するために使用させるための処理を行うポイント使用処理手段と、をさらに有することを特徴とするポイント管理装置。
【請求項２０】
請求項１２〜１７のいずれか１つに記載したポイント管理装置であって、
複数の店舗をグループ店として設定するグループ設定手段と、
前記店舗端末から、当該ポイント管理装置に既に登録されている複数の会員識別情報のそれぞれを特定可能な第１会員特定情報及び／又は第２会員特定情報を複数含む会員統合要求を受信したことに基づいて、当該複数の第１会員特定情報及び／又は第２会員特定情報から特定される各会員識別情報に対応する各店舗を個々に識別可能な店舗識別情報を特定すると共に、前記情報端末から、当該ポイント管理装置に既に登録されている複数の会員識別情報のそれぞれを特定可能な複数の第２会員特定情報を含む会員統合要求を受信したことに基づいて、当該複数の第２会員特定情報から特定される各会員識別情報に対応する各店舗の店舗識別情報を特定する店舗特定手段と、
該店舗特定手段により特定された各店舗識別情報が前記グループ設定手段により設定されたグループに属する店舗の店舗識別情報であるか否かを判定するグループ判定手段と、をさらに有し、
該グループ判定手段によりグループに属する店舗の店舗識別情報であると判定されたことを条件として、前記複数の会員識別情報を対応付けて前記登録手段により登録し、
該登録手段により対応付けて登録された各会員識別情報に対応するポイントを合算する合算手段と、
該合算手段により合算された合算ポイントを前記会員が所定のサービスを享受するために使用させるための処理を行うポイント使用処理手段と、をさらに有することを特徴とするポイント管理装置。
【手続補正２】
【補正対象書類名】明細書
【補正対象項目名】０００６
【補正方法】変更
【補正の内容】
【０００６】
まず請求項１に係る発明は、各店舗（遊技場）において店舗会員として会員登録した会員に対して発行された記録媒体（会員カード）から特定され、当該会員を個々に識別可能な会員識別情報（会員カードＩＤ）に対応付けて、当該記録媒体の所有者のポイントを管理する会員情報管理手段（ハードディスク５３）を有するポイント管理装置（５０）を備えるポイント管理システム（１）であって、前記記録媒体には、前記会員識別情報を特定可能な第１会員特定情報（会員カードＩＤ，会員ＩＤ）が磁気的又は電気的に記録されると共に、前記会員識別情報を特定可能な第２会員特定情報（会員カードＩＤ）が目視可能に記録され、各店舗に設置され、前記記録媒体を受け付けて、該受け付けた記録媒体に記録されている前記第１会員特定情報を読み取る記録媒体受付手段（カードＲ／Ｗ２５，カードリーダ３３）と、該記録媒体受付手段により読み取った第１会員特定情報を含む第１登録要求を前記ポイント管理装置に対して送信する第１登録要求送信手段（ユニット制御部２２，制御部３２）と、を有する店舗端末（カードユニット２０，キオスク端末３０）をさらに備え、前記ポイント管理装置は、前記第１登録要求送信手段から第１登録要求を受信したことに基づいて、該受信した第１登録要求に含まれる第１会員特定情報から前記会員識別情報を特定し、該特定した会員識別情報を前記会員情報管理手段に登録すると共に、会員が所持する情報端末（ＰＣ６，携帯電話７）において当該会員が前記第２会員特定情報を入力して登録操作を行うことにより該情報端末から送信されてくる、該入力された第２会員特定情報を含む第２登録要求から前記会員識別情報を特定し、該特定した会員識別情報を前記会員情報管理手段に登録する登録手段（制御部５２）を有することを特徴とするポイント管理システムである。
また請求項２に係る発明は、請求項１に記載したポイント管理システム（１）であって、前記店舗端末（カードユニット２０，キオスク端末３０）は、前記会員から前記記録媒体（会員カード）を受け付けて前記記録媒体受付手段（カードＲ／Ｗ２５，カードリーダ３３）により読み取った第１会員特定情報（会員カードＩＤ，会員ＩＤ）に対応付けて前記会員情報管理手段（ハードディスク５３）により管理されているポイントを、当該会員に対して表示するためのポイント表示手段（ディスプレイ２７，３４）をさらに有することを特徴とするポイント管理システムである。
【手続補正３】
【補正対象書類名】明細書
【補正対象項目名】０００７
【補正方法】変更
【補正の内容】
【０００７】
また請求項３に係る発明は、請求項１又は２に記載したポイント管理システム（１）であって、前記ポイント管理装置（５０）は、前記第２登録要求に伴って、前記登録操作を行う会員の電子メールアドレスを前記情報端末（ＰＣ６，携帯電話７）から取得する電子メールアドレス取得手段（制御部５２）を有し、該電子メールアドレス取得手段により取得した電子メールアドレスを、前記会員識別情報（会員カードＩＤ）に対応付けて、前記会員情報管理手段（ハードディスク５３）により管理し、前記会員に対して通知する通知内容（アンケート情報，イベント情報，当選情報）と、通知対象とする会員の会員識別情報を特定可能な情報（アンケート対象会員の属性情報，イベント対象会員の属性情報，当選会員の会員カードＩＤ）とを設定する通知情報設定手段（ディスプレイ５４及び入力装置５５，転送装置用通信部５１ｂ，制御部５２）と、該通知情報設定手段により設定された情報から特定される前記通知対象の会員識別情報に対応付けて前記会員情報管理手段で管理されている電子メールアドレスを抽出する電子メールアドレス抽出手段（制御部５２）と、前記通知情報設定手段により設定された通知内容を提供するための通知情報を含む電子メールを該電子メールアドレス抽出手段により抽出された電子メールアドレス宛に送信する電子メール送信手段（制御部５２）と、前記店舗端末（カードユニット２０，キオスク端末３０）から前記第１会員特定情報（会員カードＩＤ，会員ＩＤ）を含む確認要求（ログイン要求，並びにアンケート要求，イベント情報要求，又は当選情報要求）を受信したことに基づいて、該受信した確認要求に含まれる第１会員特定情報から特定される会員識別情報が前記通知情報設定手段により設定された情報から特定される前記通知対象の会員識別情報であるか否かを判定する通知対象判定手段（制御部５２）と、該通知対象判定手段により通知対象の会員識別情報であると判定されたことを条件として、前記通知情報を前記店舗端末に対して返信する通知情報返信手段（制御部５２）と、をさらに有することを特徴とするポイント管理システムである。
【手続補正４】
【補正対象書類名】明細書
【補正対象項目名】０００８
【補正方法】変更
【補正の内容】
【０００８】
また請求項４に係る発明は、請求項３に記載したポイント管理システム（１）であって、前記ポイント管理装置（５０）は、前記確認要求（ログイン要求，並びにグループ店追加情報要求，アンケート要求，又は当選情報要求）に含まれる第１会員特定情報（会員カードＩＤ，会員ＩＤ）から特定される会員識別情報（会員カードＩＤ）に対応付けて前記会員情報管理手段（ハードディスク５３）で電子メールアドレスを管理しているか否かを判定する電子メールアドレス管理判定手段（制御部５２）をさらに有し、前記通知情報返信手段（制御部５２）は、該電子メールアドレス管理判定手段により電子メールアドレスを管理していると判定されたことを条件として、前記通知情報を前記店舗端末（カードユニット２０，キオスク端末３０）に対して返信しないことを特徴とするポイント管理システムである。
【手続補正５】
【補正対象書類名】明細書
【補正対象項目名】０００９
【補正方法】変更
【補正の内容】
【０００９】
また請求項５に係る発明は、請求項１〜４のいずれか１つに記載したポイント管理システム（１）であって、前記ポイント管理装置（５０）は、前記店舗端末（カードユニット２０，キオスク端末３０）から、当該ポイント管理装置に新たに登録する複数の会員識別情報（会員カードＩＤ）のそれぞれを特定可能な第１会員特定情報及び／又は第２会員特定情報を複数含む会員統合要求（第１の会員統合要求）を受信したことに基づいて、当該複数の第１会員特定情報及び／又は第２会員特定情報から特定される各会員識別情報に対応する各店舗（遊技場）を個々に識別可能な店舗識別情報（店舗ＩＤ）を特定すると共に、前記情報端末（ＰＣ６，携帯電話７）から、当該ポイント管理装置に新たに登録する複数の会員識別情報のそれぞれを特定可能な複数の第２会員特定情報（会員カードＩＤ）を含む会員統合要求（第１の会員統合要求）を受信したことに基づいて、当該複数の第２会員特定情報から特定される各会員識別情報に対応する各店舗の店舗識別情報を特定する店舗特定手段（制御部５２）と、該店舗特定手段により特定された各店舗識別情報が一致するか否かを判定する店舗一致判定手段（制御部５２）と、をさらに有し、前記登録手段（制御部５２）は、該店舗一致判定手段により一致しないと判定されたことを条件として、前記新たに登録する複数の会員識別情報を対応付けて登録する一方、前記店舗一致判定手段により一致すると判定されたことを条件として、前記新たに登録する複数の会員識別情報を登録しないことを特徴とするポイント管理システムである。
【手続補正６】
【補正対象書類名】明細書
【補正対象項目名】００１０
【補正方法】変更
【補正の内容】
【００１０】
また請求項６に係る発明は、請求項１〜４のいずれか１つに記載したポイント管理システム（１）であって、前記ポイント管理装置（５０）は、前記店舗端末（カードユニット２０，キオスク端末３０）から、当該ポイント管理装置に新たに登録する会員識別情報（会員カードＩＤ）を特定可能な第１会員特定情報又は第２会員特定情報と当該ポイント管理装置に既に登録されている会員識別情報を特定可能な第１会員特定情報又は第２会員特定情報とを含む会員統合要求（第２の会員統合要求）を受信したことに基づいて、該受信した会員統合要求に含まれる第１会員特定情報及び／又は第２会員特定情報から特定される各会員識別情報に対応する各店舗（遊技場）を個々に識別可能な店舗識別情報（店舗ＩＤ）を特定すると共に、前記情報端末（ＰＣ６，携帯電話７）から、当該ポイント管理装置に新たに登録する会員識別情報を特定可能な第２会員特定情報と当該ポイント管理装置に既に登録されている会員識別情報を特定可能な第２会員特定情報（会員カードＩＤ）とを含む会員統合要求（第２の会員統合要求）を受信したことに基づいて、該受信した会員統合要求に含まれる各第２会員特定情報から特定される各会員識別情報に対応する各店舗を個々に識別可能な店舗識別情報を特定する店舗特定手段（制御部５２）と、該店舗特定手段により特定された、前記新たに登録する会員識別情報に対応する店舗の店舗識別情報と、前記既に登録されている会員識別情報に対応する店舗の店舗識別情報とが一致するか否かを判定する店舗一致判定手段（制御部５２）と、をさらに有し、前記登録手段（制御部５２）は、該店舗一致判定手段により一致しないと判定されたことを条件として、前記新たに登録する会員識別情報を前記既に登録されている会員識別情報に対応付けて登録する一方、前記店舗一致判定手段により一致すると判定されたことを条件として、前記新たに登録する会員識別情報を登録しないことを特徴とするポイント管理システムである。
【手続補正７】
【補正対象書類名】明細書
【補正対象項目名】００１１
【補正方法】変更
【補正の内容】
【００１１】
また請求項７に係る発明は、請求項１〜４のいずれか１つに記載したポイント管理システム（１）であって、前記ポイント管理装置（５０）は、前記店舗端末（カードユニット２０，キオスク端末３０）から、当該ポイント管理装置に既に登録されている複数の会員識別情報（会員カードＩＤ）のそれぞれを特定可能な第１会員特定情報及び／又は第２会員特定情報を複数含む会員統合要求（第３の会員統合要求）を受信したことに基づいて、当該複数の第１会員特定情報及び／又は第２会員特定情報から特定される各会員識別情報に対応する各店舗（遊技場）を個々に識別可能な店舗識別情報（店舗ＩＤ）を特定すると共に、前記情報端末（ＰＣ６，携帯電話７）から、当該ポイント管理装置に既に登録されている複数の会員識別情報のそれぞれを特定可能な複数の第２会員特定情報（会員カードＩＤ）を含む会員統合要求（第３の会員統合要求）を受信したことに基づいて、当該複数の第２会員特定情報から特定される各会員識別情報に対応する各店舗の店舗識別情報を特定する店舗特定手段（制御部５２）と、該店舗特定手段により特定された各店舗識別情報が一致するか否かを判定する店舗一致判定手段（制御部５２）と、をさらに有し、前記登録手段（制御部５２）は、該店舗一致判定手段により一致しないと判定されたことを条件として、前記既に登録されている複数の会員識別情報を対応付けて登録する一方、前記店舗一致判定手段により一致すると判定されたことを条件として、前記既に登録されている複数の会員識別情報を対応付けて登録しないことを特徴とするポイント管理システムである。
【手続補正８】
【補正対象書類名】明細書
【補正対象項目名】００１２
【補正方法】変更
【補正の内容】
【００１２】
また請求項８に係る発明は、請求項１〜７のいずれか１つに記載したポイント管理システム（１）であって、前記ポイント管理装置（５０）は、複数の店舗（遊技場）をグループ店として設定するグループ設定手段（ディスプレイ５４及び入力装置５５）と、前記店舗端末（カードユニット２０，キオスク端末３０）から、当該ポイント管理装置に新たに登録する複数の会員識別情報（会員カードＩＤ）のそれぞれを特定可能な第１会員特定情報及び／又は第２会員特定情報を複数含む会員統合要求を受信したことに基づいて、当該複数の第１会員特定情報及び／又は第２会員特定情報から特定される各会員識別情報に対応する各店舗（遊技場）を個々に識別可能な店舗識別情報（店舗ＩＤ）を特定すると共に、前記情報端末（ＰＣ６，携帯電話７）から、当該ポイント管理装置に新たに登録する複数の会員識別情報のそれぞれを特定可能な複数の第２会員特定情報（会員カードＩＤ）を含む会員統合要求を受信したことに基づいて、当該複数の第２会員特定情報から特定される各会員識別情報に対応する各店舗の店舗識別情報を特定する店舗特定手段（制御部５２）と、該店舗特定手段により特定された各店舗識別情報が前記グループ設定手段により設定されたグループに属する店舗の店舗識別情報であるか否かを判定するグループ判定手段（制御部５２）と、をさらに有し、該グループ判定手段によりグループに属する店舗の店舗識別情報であると判定されたことを条件として、前記複数の会員識別情報を対応付けて前記登録手段（制御部５２）により登録し、該登録手段により対応付けて登録された各会員識別情報に対応するポイントを合算する合算手段（制御部５２）と、該合算手段により合算された合算ポイントを前記会員が所定のサービス（抽選への応募，商品との交換）を享受するために使用させるための処理を行うポイント使用処理手段（制御部５２）と、をさらに有することを特徴とするポイント管理システムである。
【手続補正９】
【補正対象書類名】明細書
【補正対象項目名】００１３
【補正方法】変更
【補正の内容】
【００１３】
また請求項９に係る発明は、請求項１〜７のいずれか１つに記載したポイント管理システム（１）であって、前記ポイント管理装置（５０）は、複数の店舗（遊技場）をグループ店として設定するグループ設定手段（ディスプレイ５４及び入力装置５５）と、前記店舗端末（カードユニット２０，キオスク端末３０）から、当該ポイント管理装置に新たに登録する会員識別情報（会員カードＩＤ）を特定可能な第１会員特定情報又は第２会員特定情報と当該ポイント管理装置に既に登録されている会員識別情報を特定可能な第１会員特定情報又は第２会員特定情報とを含む会員統合要求を受信したことに基づいて、該受信した会員統合要求に含まれる第１会員特定情報及び／又は第２会員特定情報から特定される各会員識別情報に対応する各店舗（遊技場）を個々に識別可能な店舗識別情報（店舗ＩＤ）を特定すると共に、前記情報端末（ＰＣ６，携帯電話７）から、当該ポイント管理装置に新たに登録する会員識別情報を特定可能な第２会員特定情報と当該ポイント管理装置に既に登録されている会員識別情報を特定可能な第２会員特定情報（会員カードＩＤ）とを含む会員統合要求を受信したことに基づいて、該受信した会員統合要求に含まれる各第２会員特定情報から特定される各会員識別情報に対応する各店舗を個々に識別可能な店舗識別情報を特定する店舗特定手段（制御部５２）と、該店舗特定手段により特定された各店舗識別情報が前記グループ設定手段により設定されたグループに属する店舗の店舗識別情報であるか否かを判定するグループ判定手段（制御部５２）と、をさらに有し、該グループ判定手段によりグループに属する店舗の店舗識別情報であると判定されたことを条件として、前記新たに登録する会員識別情報を前記既に登録されている会員識別情報に対応付けて前記登録手段（制御部５２）により登録し、該登録手段により対応付けて登録された各会員識別情報に対応するポイントを合算する合算手段（制御部５２）と、該合算手段により合算された合算ポイントを前記会員が所定のサービス（抽選への応募，商品との交換）を享受するために使用させるための処理を行うポイント使用処理手段（制御部５２）と、をさらに有することを特徴とするポイント管理システムである。
【手続補正１０】
【補正対象書類名】明細書
【補正対象項目名】００１４
【補正方法】変更
【補正の内容】
【００１４】
また請求項１０に係る発明は、請求項１〜７のいずれか１つに記載したポイント管理システム（１）であって、前記ポイント管理装置（５０）は、複数の店舗（遊技場）をグループ店として設定するグループ設定手段（ディスプレイ５４及び入力装置５５）と、前記店舗端末（カードユニット２０，キオスク端末３０）から、当該ポイント管理装置に既に登録されている複数の会員識別情報（会員カードＩＤ）のそれぞれを特定可能な第１会員特定情報及び／又は第２会員特定情報を複数を含む会員統合要求（第３の会員統合要求）を受信したことに基づいて、当該複数の第１会員特定情報及び／又は第２会員特定情報から特定される各会員識別情報に対応する各店舗（遊技場）を個々に識別可能な店舗識別情報（店舗ＩＤ）を特定すると共に、前記情報端末（ＰＣ６，携帯電話７）から、当該ポイント管理装置に既に登録されている複数の会員識別情報のそれぞれを特定可能な複数の第２会員特定情報（会員カードＩＤ）を含む会員統合要求（第３の会員統合要求）を受信したことに基づいて、当該複数の第２会員特定情報から特定される各会員識別情報に対応する各店舗の店舗識別情報を特定する店舗特定手段（制御部５２）と、該店舗特定手段により特定された各店舗識別情報が前記グループ設定手段により設定されたグループに属する店舗の店舗識別情報であるか否かを判定するグループ判定手段（制御部５２）と、をさらに有し、該グループ判定手段によりグループに属する店舗の店舗識別情報であると判定されたことを条件として、前記複数の会員識別情報を対応付けて前記登録手段（制御部５２）により登録し、該登録手段により対応付けて登録された各会員識別情報に対応するポイントを合算する合算手段（制御部５２）と、該合算手段により合算された合算ポイントを前記会員が所定のサービス（抽選への応募，商品との交換）を享受するために使用させるための処理を行うポイント使用処理手段（制御部５２）と、をさらに有することを特徴とするポイント管理システムである。
【手続補正１１】
【補正対象書類名】明細書
【補正対象項目名】００１５
【補正方法】変更
【補正の内容】
【００１５】
また請求項１１に係る発明は、請求項５〜１０のいずれか１つに記載したポイント管理システム（１）であって、前記店舗端末（キオスク端末３０）は、前記記録媒体受付手段（カードリーダ３３）により、統合対象とする複数の記録媒体（会員カード）を受け付けて、該受け付けた各記録媒体に記録されている第１会員特定情報（会員カードＩＤ，会員ＩＤ）を読み取り、該記録媒体受付手段により読み取った複数の第１会員特定情報を含む前記会員統合要求を前記ポイント管理装置（５０）に対して送信することを特徴とするポイント管理システムである。
【手続補正１２】
【補正対象書類名】明細書
【補正対象項目名】００１６
【補正方法】変更
【補正の内容】
【００１６】
また請求項１２に係る発明は、各店舗（遊技場）において店舗会員として会員登録した会員に対して発行された記録媒体（会員カード）から特定され、当該会員を個々に識別可能な会員識別情報（会員カードＩＤ）に対応付けて、当該記録媒体の所有者のポイントを管理する会員情報管理手段（ハードディスク５３）を有するポイント管理装置（５０）であって、前記記録媒体には、前記会員識別情報を特定可能な第１会員特定情報（会員カードＩＤ，会員ＩＤ）が磁気的又は電気的に記録されると共に、前記会員識別情報を特定可能な第２会員特定情報（会員カードＩＤ）が目視可能に記録され、各店舗に設置される店舗端末（カードユニット２０，キオスク端末３０）において会員が記録媒体の受付を行うことにより該店舗端末から送信されてくる、該受け付けた記録媒体から読み取った前記第１会員特定情報を含む第１登録要求から前記会員識別情報を特定し、該特定した会員識別情報を前記会員情報管理手段に登録すると共に、会員が所持する情報端末（ＰＣ６，携帯電話７）において当該会員が前記第２会員特定情報を入力して登録操作を行うことにより該情報端末から送信されてくる、該入力された第２会員特定情報を含む第２登録要求から前記会員識別情報を特定し、該特定した会員識別情報を前記会員情報管理手段に登録する登録手段（制御部５２）を有することを特徴とするポイント管理装置である。
【手続補正１３】
【補正対象書類名】明細書
【補正対象項目名】００１７
【補正方法】変更
【補正の内容】
【００１７】
また請求項１３に係る発明は、請求項１２に記載したポイント管理装置（５０）であって、前記第２登録要求に伴って、前記登録操作を行う会員の電子メールアドレスを前記情報端末（ＰＣ６，携帯電話７）から取得する電子メールアドレス取得手段（制御部５２）を有し、該電子メールアドレス取得手段により取得した電子メールアドレスを、前記会員識別情報（会員カードＩＤ）に対応付けて、前記会員情報管理手段（ハードディスク５３）により管理し、前記会員に対して通知する通知内容（アンケート情報，イベント情報，当選情報）と、通知対象とする会員の会員識別情報を特定可能な情報（アンケート対象会員の属性情報，イベント対象会員の属性情報，当選会員の会員カードＩＤ）とを設定する通知情報設定手段（ディスプレイ５４及び入力装置５５，転送装置用通信部５１ｂ，制御部５２）と、該通知情報設定手段により設定された情報から特定される前記通知対象の会員識別情報に対応付けて前記会員情報管理手段で管理されている電子メールアドレスを抽出する電子メールアドレス抽出手段（制御部５２）と、前記通知情報設定手段により設定された通知内容を提供するための通知情報を含む電子メールを該電子メールアドレス抽出手段により抽出された電子メールアドレス宛に送信する電子メール送信手段（制御部５２）と、前記店舗端末（カードユニット２０，キオスク端末３０）から前記第１会員特定情報（会員カードＩＤ，会員ＩＤ）を含む確認要求（ログイン要求，並びにアンケート要求，イベント情報要求，又は当選情報要求）を受信したことに基づいて、該受信した確認要求に含まれる第１会員特定情報から特定される会員識別情報が前記通知情報設定手段により設定された情報から特定される前記通知対象の会員識別情報であるか否かを判定する通知対象判定手段（制御部５２）と、該通知対象判定手段により通知対象の会員識別情報であると判定されたことを条件として、前記通知情報を前記店舗端末に対して返信する通知情報返信手段（制御部５２）と、をさらに有することを特徴とするポイント管理装置である。
【手続補正１４】
【補正対象書類名】明細書
【補正対象項目名】００１８
【補正方法】変更
【補正の内容】
【００１８】
また請求項１４に係る発明は、請求項１３に記載したポイント管理装置（５０）であって、前記確認要求（ログイン要求，並びにグループ店追加情報要求，アンケート要求，又は当選情報要求）に含まれる第１会員特定情報（会員カードＩＤ，会員ＩＤ）から特定される会員識別情報（会員カードＩＤ）に対応付けて前記会員情報管理手段（ハードディスク５３）で電子メールアドレスを管理しているか否かを判定する電子メールアドレス管理判定手段（制御部５２）をさらに有し、前記通知情報返信手段（制御部５２）は、該電子メールアドレス管理判定手段により電子メールアドレスを管理していると判定されたことを条件として、前記通知情報を前記店舗端末（カードユニット２０，キオスク端末３０）に対して返信しないことを特徴とするポイント管理装置である。
【手続補正１５】
【補正対象書類名】明細書
【補正対象項目名】００１９
【補正方法】変更
【補正の内容】
【００１９】
また請求項１５に係る発明は、請求項１２〜１４のいずれか１つに記載したポイント管理装置（５０）であって、前記店舗端末（カードユニット２０，キオスク端末３０）から、当該ポイント管理装置に新たに登録する複数の会員識別情報（会員カードＩＤ）のそれぞれを特定可能な第１会員特定情報及び／又は第２会員特定情報を複数含む会員統合要求（第１の会員統合要求）を受信したことに基づいて、当該複数の第１会員特定情報及び／又は第２会員特定情報から特定される各会員識別情報に対応する各店舗（遊技場）を個々に識別可能な店舗識別情報（店舗ＩＤ）を特定すると共に、前記情報端末（ＰＣ６，携帯電話７）から、当該ポイント管理装置に新たに登録する複数の会員識別情報のそれぞれを特定可能な複数の第２会員特定情報（会員カードＩＤ）を含む会員統合要求（第１の会員統合要求）を受信したことに基づいて、当該複数の第２会員特定情報から特定される各会員識別情報に対応する各店舗の店舗識別情報を特定する店舗特定手段（制御部５２）と、該店舗特定手段により特定された各店舗識別情報が一致するか否かを判定する店舗一致判定手段（制御部５２）と、をさらに有し、前記登録手段（制御部５２）は、該店舗一致判定手段により一致しないと判定されたことを条件として、前記新たに登録する複数の会員識別情報を対応付けて登録する一方、前記店舗一致判定手段により一致すると判定されたことを条件として、前記新たに登録する複数の会員識別情報を登録しないことを特徴とするポイント管理装置である。
【手続補正１６】
【補正対象書類名】明細書
【補正対象項目名】００２０
【補正方法】変更
【補正の内容】
【００２０】
また請求項１６に係る発明は、請求項１２〜１４のいずれか１つに記載したポイント管理装置（５０）であって、前記店舗端末（カードユニット２０，キオスク端末３０）から、当該ポイント管理装置に新たに登録する会員識別情報（会員カードＩＤ）を特定可能な第１会員特定情報又は第２会員特定情報と当該ポイント管理装置に既に登録されている会員識別情報を特定可能な第１会員特定情報又は第２会員特定情報とを含む会員統合要求（第２の会員統合要求）を受信したことに基づいて、該受信した会員統合要求に含まれる第１会員特定情報及び／又は第２会員特定情報から特定される各会員識別情報に対応する各店舗（遊技場）を個々に識別可能な店舗識別情報（店舗ＩＤ）を特定すると共に、前記情報端末（ＰＣ６，携帯電話７）から、当該ポイント管理装置に新たに登録する会員識別情報を特定可能な第２会員特定情報と当該ポイント管理装置に既に登録されている会員識別情報を特定可能な第２会員特定情報（会員カードＩＤ）とを含む会員統合要求（第２の会員統合要求）を受信したことに基づいて、該受信した会員統合要求に含まれる各第２会員特定情報から特定される各会員識別情報に対応する各店舗を個々に識別可能な店舗識別情報を特定する店舗特定手段（制御部５２）と、該店舗特定手段により特定された、前記新たに登録する会員識別情報に対応する店舗の店舗識別情報と、前記既に登録されている会員識別情報に対応する店舗の店舗識別情報とが一致するか否かを判定する店舗一致判定手段（制御部５２）と、をさらに有し、前記登録手段（制御部５２）は、該店舗一致判定手段により一致しないと判定されたことを条件として、前記新たに登録する会員識別情報を前記既に登録されている会員識別情報に対応付けて登録する一方、前記店舗一致判定手段により一致すると判定されたことを条件として、前記新たに登録する会員識別情報を登録しないことを特徴とするポイント管理装置である。
【手続補正１７】
【補正対象書類名】明細書
【補正対象項目名】００２１
【補正方法】変更
【補正の内容】
【００２１】
また請求項１７に係る発明は、請求項１２〜１４のいずれか１つに記載したポイント管理装置（５０）であって、前記店舗端末（カードユニット２０，キオスク端末３０）から、当該ポイント管理装置に既に登録されている複数の会員識別情報（会員カードＩＤ）のそれぞれを特定可能な第１会員特定情報及び／又は第２会員特定情報を複数含む会員統合要求（第３の会員統合要求）を受信したことに基づいて、当該複数の第１会員特定情報及び／又は第２会員特定情報から特定される各会員識別情報に対応する各店舗（遊技場）を個々に識別可能な店舗識別情報（店舗ＩＤ）を特定すると共に、前記情報端末（ＰＣ６，携帯電話７）から、当該ポイント管理装置に既に登録されている複数の会員識別情報のそれぞれを特定可能な複数の第２会員特定情報（会員カードＩＤ）を含む会員統合要求（第３の会員統合要求）を受信したことに基づいて、当該複数の第２会員特定情報から特定される各会員識別情報に対応する各店舗の店舗識別情報を特定する店舗特定手段（制御部５２）と、該店舗特定手段により特定された各店舗識別情報が一致するか否かを判定する店舗一致判定手段（制御部５２）と、をさらに有し、前記登録手段（制御部５２）は、該店舗一致判定手段により一致しないと判定されたことを条件として、前記既に登録されている複数の会員識別情報を対応付けて登録する一方、前記店舗一致判定手段により一致すると判定されたことを条件として、前記既に登録されている複数の会員識別情報を対応付けて登録しないことを特徴とするポイント管理装置である。
【手続補正１８】
【補正対象書類名】明細書
【補正対象項目名】００２２
【補正方法】変更
【補正の内容】
【００２２】
また請求項１８に係る発明は、請求項１２〜１７のいずれか１つに記載したポイント管理装置（５０）であって、複数の店舗（遊技場）をグループ店として設定するグループ設定手段（ディスプレイ５４及び入力装置５５）と、前記店舗端末（カードユニット２０，キオスク端末３０）から、当該ポイント管理装置に新たに登録する複数の会員識別情報（会員カードＩＤ）のそれぞれを特定可能な第１会員特定情報及び／又は第２会員特定情報を複数含む会員統合要求を受信したことに基づいて、当該複数の第１会員特定情報及び／又は第２会員特定情報から特定される各会員識別情報に対応する各店舗（遊技場）を個々に識別可能な店舗識別情報（店舗ＩＤ）を特定すると共に、前記情報端末（ＰＣ６，携帯電話７）から、当該ポイント管理装置に新たに登録する複数の会員識別情報のそれぞれを特定可能な複数の第２会員特定情報（会員カードＩＤ）を含む会員統合要求を受信したことに基づいて、当該複数の第２会員特定情報から特定される各会員識別情報に対応する各店舗の店舗識別情報を特定する店舗特定手段（制御部５２）と、該店舗特定手段により特定された各店舗識別情報が前記グループ設定手段により設定されたグループに属する店舗の店舗識別情報であるか否かを判定するグループ判定手段（制御部５２）と、をさらに有し、該グループ判定手段によりグループに属する店舗の店舗識別情報であると判定されたことを条件として、前記複数の会員識別情報を対応付けて前記登録手段（制御部５２）により登録し、該登録手段により対応付けて登録された各会員識別情報に対応するポイントを合算する合算手段（制御部５２）と、該合算手段により合算された合算ポイントを前記会員が所定のサービス（抽選への応募，商品との交換）を享受するために使用させるための処理を行うポイント使用処理手段（制御部５２）と、をさらに有することを特徴とするポイント管理装置である。
【手続補正１９】
【補正対象書類名】明細書
【補正対象項目名】００２３
【補正方法】変更
【補正の内容】
【００２３】
また請求項１９に係る発明は、請求項１２〜１７のいずれか１つに記載したポイント管理装置（５０）であって、複数の店舗（遊技場）をグループ店として設定するグループ設定手段（ディスプレイ５４及び入力装置５５）と、前記店舗端末（カードユニット２０，キオスク端末３０）から、当該ポイント管理装置に新たに登録する会員識別情報（会員カードＩＤ）を特定可能な第１会員特定情報又は第２会員特定情報と当該ポイント管理装置に既に登録されている会員識別情報を特定可能な第１会員特定情報又は第２会員特定情報とを含む会員統合要求を受信したことに基づいて、該受信した会員統合要求に含まれる第１会員特定情報及び／又は第２会員特定情報から特定される各会員識別情報に対応する各店舗（遊技場）を個々に識別可能な店舗識別情報（店舗ＩＤ）を特定すると共に、前記情報端末（ＰＣ６，携帯電話７）から、当該ポイント管理装置に新たに登録する会員識別情報を特定可能な第２会員特定情報と当該ポイント管理装置に既に登録されている会員識別情報を特定可能な第２会員特定情報（会員カードＩＤ）とを含む会員統合要求を受信したことに基づいて、該受信した会員統合要求に含まれる各第２会員特定情報から特定される各会員識別情報に対応する各店舗を個々に識別可能な店舗識別情報を特定する店舗特定手段（制御部５２）と、該店舗特定手段により特定された各店舗識別情報が前記グループ設定手段により設定されたグループに属する店舗の店舗識別情報であるか否かを判定するグループ判定手段（制御部５２）と、をさらに有し、該グループ判定手段によりグループに属する店舗の店舗識別情報であると判定されたことを条件として、前記新たに登録する会員識別情報を前記既に登録されている会員識別情報に対応付けて前記登録手段（制御部５２）により登録し、該登録手段により対応付けて登録された各会員識別情報に対応するポイントを合算する合算手段（制御部５２）と、該合算手段により合算された合算ポイントを前記会員が所定のサービス（抽選への応募，商品との交換）を享受するために使用させるための処理を行うポイント使用処理手段（制御部５２）と、をさらに有することを特徴とするポイント管理装置である。
【手続補正２０】
【補正対象書類名】明細書
【補正対象項目名】００２４
【補正方法】変更
【補正の内容】
【００２４】
さらに請求項２０に係る発明は、請求項１２〜１７のいずれか１つに記載したポイント管理装置（５０）であって、複数の店舗（遊技場）をグループ店として設定するグループ設定手段（ディスプレイ５４及び入力装置５５）と、前記店舗端末（カードユニット２０，キオスク端末３０）から、当該ポイント管理装置に既に登録されている複数の会員識別情報（会員カードＩＤ）のそれぞれを特定可能な第１会員特定情報及び／又は第２会員特定情報を複数含む会員統合要求（第３の会員統合要求）を受信したことに基づいて、当該複数の第１会員特定情報及び／又は第２会員特定情報から特定される各会員識別情報に対応する各店舗（遊技場）を個々に識別可能な店舗識別情報（店舗ＩＤ）を特定すると共に、前記情報端末（ＰＣ６，携帯電話７）から、当該ポイント管理装置に既に登録されている複数の会員識別情報のそれぞれを特定可能な複数の第２会員特定情報（会員カードＩＤ）を含む会員統合要求（第３の会員統合要求）を受信したことに基づいて、当該複数の第２会員特定情報から特定される各会員識別情報に対応する各店舗の店舗識別情報を特定する店舗特定手段（制御部５２）と、該店舗特定手段により特定された各店舗識別情報が前記グループ設定手段により設定されたグループに属する店舗の店舗識別情報であるか否かを判定するグループ判定手段（制御部５２）と、をさらに有し、該グループ判定手段によりグループに属する店舗の店舗識別情報であると判定されたことを条件として、前記複数の会員識別情報を対応付けて前記登録手段（制御部５２）により登録し、該登録手段により対応付けて登録された各会員識別情報に対応するポイントを合算する合算手段（制御部５２）と、該合算手段により合算された合算ポイントを前記会員が所定のサービス（抽選への応募，商品との交換）を享受するために使用させるための処理を行うポイント使用処理手段（制御部５２）と、をさらに有することを特徴とするポイント管理装置である。
【手続補正２１】
【補正対象書類名】明細書
【補正対象項目名】００２５
【補正方法】変更
【補正の内容】
【００２５】
まず請求項１に係るポイント管理システムによれば、ポイント管理装置において、会員の所持する情報端末から第２登録要求が送信されてくると会員識別情報の登録が行われると共に、店舗に設置される店舗端末から第１登録要求が送信されてきても会員識別情報の登録が行われるので、情報端末を所有していない店舗会員や情報端末の操作が不得意な店舗会員であってもポイント会員として会員識別情報の登録が可能となり、すべての店舗会員に公平にポイント会員としての利益を享受する機会を与えることができる。
また請求項２に係るポイント管理システムによれば、会員から記録媒体を受け付けて当該会員に対してポイントを表示する店舗端末から、該会員から記録媒体を受け付けたことにより第１登録要求が送信されてくると、ポイント管理装置において、会員識別情報の登録が行われるので、店舗の店員の手を煩わすことなく、ポイント会員としての会員識別情報の登録が可能となる。
【手続補正２２】
【補正対象書類名】明細書
【補正対象項目名】００２６
【補正方法】変更
【補正の内容】
【００２６】
また請求項３に係るポイント管理システムによれば、情報端末から登録を行ったポイント会員に対しては、通知情報を電子メールで迅速に通知することができると共に、店舗端末から登録を行い電子メールアドレスが登録されていないポイント会員に対しても、通知情報を店舗端末に返信して通知することができる。
【手続補正２３】
【補正対象書類名】明細書
【補正対象項目名】００２７
【補正方法】変更
【補正の内容】
【００２７】
また請求項４に係るポイント管理システムによれば、電子メールアドレスが登録されているポイント会員に対しては、通知情報が店舗端末に返信されないので、通知情報を既に電子メールで受け取っているポイント会員に対する該通知情報の無駄な重複送信が防止される。
【手続補正２４】
【補正対象書類名】明細書
【補正対象項目名】００２８
【補正方法】変更
【補正の内容】
【００２８】
また請求項５に係るポイント管理システムによれば、ポイント管理装置において、会員統合要求に含まれる複数の会員特定情報から特定される新たに登録する複数の会員識別情報に対応する各店舗が一致する場合には、当該複数の会員識別情報が登録されず、店舗で記録媒体を紛失した会員のポイントが当該店舗で該記録媒体を拾った他の会員のポイントと統合されてしまうことがないので、該記録媒体を紛失した会員が不利益を被るおそれを低減することができる。
【手続補正２５】
【補正対象書類名】明細書
【補正対象項目名】００２９
【補正方法】変更
【補正の内容】
【００２９】
また請求項６に係るポイント管理システムによれば、ポイント管理装置において、会員統合要求に含まれる会員特定情報から特定される新たに登録する会員識別情報に対応する店舗と、会員特定情報から特定される既に登録されている会員識別情報に対応する店舗とが一致する場合には、当該新たに登録する会員識別情報が登録されず、店舗で記録媒体を紛失した会員のポイントが当該店舗で該記録媒体を拾った他の会員のポイントと統合されてしまうことがないので、該記録媒体を紛失した会員が不利益を被るおそれを低減することができる。
【手続補正２６】
【補正対象書類名】明細書
【補正対象項目名】００３０
【補正方法】変更
【補正の内容】
【００３０】
また請求項７に係るポイント管理システムによれば、ポイント管理装置において、会員統合要求に含まれる複数の会員特定情報から特定される既に登録されている複数の会員識別情報に対応する各店舗が一致する場合には、当該複数の会員識別情報の対応付けが行われず、店舗で記録媒体を紛失した会員のポイントが当該店舗で該記録媒体を拾った他の会員のポイントと統合されてしまうことがないので、該記録媒体を紛失した会員が不利益を被るおそれを低減することができる。
【手続補正２７】
【補正対象書類名】明細書
【補正対象項目名】００３１
【補正方法】変更
【補正の内容】
【００３１】
また請求項８に係るポイント管理システムによれば、ポイント管理装置において、会員統合要求に含まれる複数の会員特定情報から特定される各会員識別情報に対応する各店舗がグループ店である場合に限って、当該会員統合要求に含まれる複数の会員特定情報から特定される新たに登録する複数の会員識別情報が対応付けて登録され、当該複数の会員識別情報に対応するポイントを合算して使用できるため、グループ店間での来店を促進できる。
【手続補正２８】
【補正対象書類名】明細書
【補正対象項目名】００３２
【補正方法】変更
【補正の内容】
【００３２】
また請求項９に係るポイント管理システムによれば、ポイント管理装置において、会員統合要求に含まれる複数の会員特定情報から特定される各会員識別情報に対応する各店舗がグループ店である場合に限って、当該会員統合要求に含まれる会員特定情報から特定される新たに登録される会員識別情報が、会員特定情報から特定される既に登録されている会員識別情報に対応付けて登録され、それら各会員識別情報に対応するポイントを合算して使用できるため、グループ店間での来店を促進できる。
【手続補正２９】
【補正対象書類名】明細書
【補正対象項目名】００３３
【補正方法】変更
【補正の内容】
【００３３】
また請求項１０に係るポイント管理システムによれば、ポイント管理装置において、会員統合要求に含まれる複数の会員特定情報から特定される各会員識別情報に対応する各店舗がグループ店である場合に限って、当該会員統合要求に含まれる複数の会員特定情報から特定される既に登録されている複数の会員識別情報が対応付けて登録され、当該複数の会員識別情報に対応するポイントを合算して使用できるため、グループ店間での来店を促進できる。
【手続補正３０】
【補正対象書類名】明細書
【補正対象項目名】００３４
【補正方法】変更
【補正の内容】
【００３４】
また請求項１１に係るポイント管理システムによれば、店舗端末において、複数の記録媒体が受け付けられ、該記録媒体から読み取った第１会員特定情報を含む会員統合要求がポイント管理装置に対して送信されるので、統合対象とする会員識別情報を手入力する手間が省ける。
【手続補正３１】
【補正対象書類名】明細書
【補正対象項目名】００３５
【補正方法】変更
【補正の内容】
【００３５】
また請求項１２に係るポイント管理装置によれば、会員の所持する情報端末から第２登録要求が送信されてくると会員識別情報の登録が行われると共に、店舗に設置される店舗端末から第１登録要求が送信されてきても会員識別情報の登録が行われるので、情報端末を所有していない店舗会員や情報端末の操作が不得意な店舗会員であってもポイント会員として会員識別情報の登録が可能となり、すべての店舗会員に公平にポイント会員としての利益を享受する機会を与えることができる。
【手続補正３２】
【補正対象書類名】明細書
【補正対象項目名】００３６
【補正方法】変更
【補正の内容】
【００３６】
また請求項１３に係るポイント管理装置によれば、情報端末から登録を行ったポイント会員に対しては、通知情報を電子メールで迅速に通知することができると共に、店舗端末から登録を行い電子メールアドレスが登録されていないポイント会員に対しても、通知情報を店舗端末に返信して通知することができる。
【手続補正３３】
【補正対象書類名】明細書
【補正対象項目名】００３７
【補正方法】変更
【補正の内容】
【００３７】
また請求項１４に係るポイント管理装置によれば、電子メールアドレスが登録されているポイント会員に対しては、通知情報が店舗端末に返信されないので、通知情報を既に電子メールで受け取っているポイント会員に対する該通知情報の無駄な重複送信が防止される。
【手続補正３４】
【補正対象書類名】明細書
【補正対象項目名】００３８
【補正方法】変更
【補正の内容】
【００３８】
また請求項１５に係るポイント管理装置によれば、会員統合要求に含まれる複数の会員特定情報から特定される新たに登録する複数の会員識別情報に対応する各店舗が一致する場合には、当該複数の会員識別情報が登録されず、店舗で記録媒体を紛失した会員のポイントが当該店舗で該記録媒体を拾った他の会員のポイントと統合されてしまうことがないので、該記録媒体を紛失した会員が不利益を被るおそれを低減することができる。
【手続補正３５】
【補正対象書類名】明細書
【補正対象項目名】００３９
【補正方法】変更
【補正の内容】
【００３９】
また請求項１６に係るポイント管理装置によれば、会員統合要求に含まれる会員特定情報から特定される新たに登録する会員識別情報に対応する店舗と、会員特定情報から特定される既に登録されている会員識別情報に対応する店舗とが一致する場合には、当該新たに登録する会員識別情報が登録されず、店舗で記録媒体を紛失した会員のポイントが当該店舗で該記録媒体を拾った他の会員のポイントと統合されてしまうことがないので、該記録媒体を紛失した会員が不利益を被るおそれを低減することができる。
【手続補正３６】
【補正対象書類名】明細書
【補正対象項目名】００４０
【補正方法】変更
【補正の内容】
【００４０】
また請求項１７に係るポイント管理装置によれば、会員統合要求に含まれる複数の会員特定情報から特定される既に登録されている複数の会員識別情報に対応する各店舗が一致する場合には、当該複数の会員識別情報の対応付けが行われず、店舗で記録媒体を紛失した会員のポイントが当該店舗で該記録媒体を拾った他の会員のポイントと統合されてしまうことがないので、該記録媒体を紛失した会員が不利益を被るおそれを低減することができる。
【手続補正３７】
【補正対象書類名】明細書
【補正対象項目名】００４１
【補正方法】変更
【補正の内容】
【００４１】
また請求項１８に係るポイント管理装置によれば、会員統合要求に含まれる複数の会員特定情報から特定される各会員識別情報に対応する各店舗がグループ店である場合に限って、当該会員統合要求に含まれる複数の会員特定情報から特定される新たに登録する複数の会員識別情報が対応付けて登録され、当該複数の会員識別情報に対応するポイントを合算して使用できるため、グループ店間での来店を促進できる。
【手続補正３８】
【補正対象書類名】明細書
【補正対象項目名】００４２
【補正方法】変更
【補正の内容】
【００４２】
また請求項１９に係るポイント管理装置によれば、会員統合要求に含まれる複数の会員特定情報から特定される各会員識別情報に対応する各店舗がグループ店である場合に限って、当該会員統合要求に含まれる会員特定情報から特定される新たに登録される会員識別情報が、会員特定情報から特定される既に登録されている会員識別情報に対応付けて登録され、それら各会員識別情報に対応するポイントを合算して使用できるため、グループ店間での来店を促進できる。
【手続補正３９】
【補正対象書類名】明細書
【補正対象項目名】００４３
【補正方法】変更
【補正の内容】
【００４３】
さらに請求項２０に係るポイント管理装置によれば、会員統合要求に含まれる複数の会員特定情報から特定される各会員識別情報に対応する各店舗がグループ店である場合に限って、当該会員統合要求に含まれる複数の会員特定情報から特定される既に登録されている複数の会員識別情報が対応付けて登録され、当該複数の会員識別情報に対応するポイントを合算して使用できるため、グループ店間での来店を促進できる。